(57)【特許請求の範囲】
【請求項１】
内筒および外筒の間に弾性体を介装し、前記弾性体に軸方向に貫通するすぐり部を設けた防振ブッシュにおいて、
前記内筒および外筒が変位したときに前記すぐり部における内筒側内面および外筒側内面が直接接触した状態で摺動することにより鳴き現象が発生するのを抑制する鳴き防止部品を有し、
前記鳴き防止部品は、前記内筒に嵌合される環状の取付部と、前記すぐり部に挿入されて前記すぐり部における内筒側内面および外筒側内面の間に配置される円周上一部のプレート部とを一体に有し、
前記プレート部は、前記取付部側の端部から反対側の端部にかけて徐々に薄肉の形状を備えている
ことを特徴とする防振ブッシュ。
【請求項２】
請求項１に記載の防振ブッシュにおいて、
前記すぐり部が円周上複数設けられるのに伴って、前記プレート部も円周上複数設けられていることを特徴とする防振ブッシュ。
【発明の詳細な説明】
【技術分野】
【０００１】
本発明は、防振技術に係る防振ブッシュに関する。防振ブッシュは例えば、自動車関連の分野で用いられ、またゴムストッパー等として用いられる。
【背景技術】
【０００２】
従来から図３に示すように、内筒２および外筒３の間にゴム状弾性体よりなる弾性体４を介装し、弾性体４に軸方向に貫通するすぐり部５を設けた防振ブッシュ１が知られている。すぐり部５は、弾性体４を軸方向に貫通するように設けられた空間部であって、すぐり方向（Ｘ方向）とすぐり直角方向（Ｙ方向）とで当該防振ブッシュ１の径方向ばね定数を異ならせるために設けられている。
【先行技術文献】
【特許文献】
【０００３】
【特許文献１】特開２００８−１６３９８６号公報
【発明の概要】
【発明が解決しようとする課題】
【０００４】
上記構成の防振ブッシュ１において、内筒２および外筒３がすぐり方向（Ｘ方向）に径方向変位して、すぐり部５における内筒側内面５ａおよび外筒側内面５ｂが互いに接触した状態で、内筒２および外筒３が軸方向（図３において紙面と直交する方向）に変位すると、内筒側内面５ａおよび外筒側内面５ｂが摺動することになる。したがってゴム状弾性体同士が擦れ合い、鳴き（異音）が発生する問題がある。
【０００５】
鳴きの発生を抑制することができる防振ブッシュを提供することを目的とする。
【課題を解決するための手段】
【０００６】
内筒および外筒の間に弾性体を介装し、前記弾性体に軸方向に貫通するすぐり部を設けた防振ブッシュにおいて、前記内筒および外筒が変位したときに前記すぐり部における内筒側内面および外筒側内面が直接接触した状態で摺動することにより鳴き現象が発生するのを抑制する鳴き防止部品を有する。
【０００８】
鳴き防止部品は、内筒に嵌合される環状の取付部と、すぐり部に挿入されてすぐり部における内筒側内面および外筒側内面の間に配置される円周上一部のプレート部とを一体に有する。
【００１０】
プレート部は、取付部側の端部から反対側の端部にかけて徐々に薄肉の形状を備えている。プレート部をすぐり部に対し軸方向一方から挿入しやすくなる。
【発明の効果】
【００１１】
すぐり部における内筒側内面および外筒側内面が直接接触しないため、鳴きの発生を抑制することができる。
【図面の簡単な説明】
【００１２】
【図１】実施例に係る防振ブッシュを示す図で、（Ａ）はその正面図、（Ｂ）はその断面図であって（Ａ）におけるＢ−０−Ｂ線断面図
【図２】同防振ブッシュに備えられる鳴き防止部品の単品斜視図
【図３】従来例に係る防振ブッシュの正面図
【発明を実施するための形態】
【００１３】
実施例を図面にしたがって説明する。
【００１４】
図１に示すように、当該実施例に係る防振ブッシュ１は、互いに同軸０上に配置された内筒（インナー部材とも称する）２および外筒（アウター部材とも称する）３の間にゴム状弾性体よりなる環状の弾性体（弾性ゴムとも称する）４を介装し、弾性体４に軸方向に貫通するすぐり部（スグリとも称する）５を設けた防振ブッシュ（すぐり入りブッシュとも称する）であって、内筒２および外筒３がすぐり方向（Ｘ方向）に径方向変位したときにすぐり部５における内筒側内面５ａおよび外筒側内面５ｂが直接接触した状態で摺動することにより鳴き現象が発生するのを抑制するための鳴き防止部品１１が備えられている。
【００１５】
図２に示すように、鳴き防止部品１１は、内筒２の外周面に嵌合される環状の取付部１２と、すぐり部５に軸方向一方から挿入されてすぐり部５における内筒側内面５ａおよび外筒側内面５ｂの間に配置される円周上一部のプレート部１３とを一体に有しており、すぐり部５が１８０度対称位置に２箇所設けられているのに伴って、プレート部１３も１８０度対称位置に２箇所設けられている。
【００１６】
プレート部１３はそれぞれ、取付部１２の外周部から径方向外方へ向けて延びるプレート基部１３ａと、このプレート基部１３ａから軸方向一方へ向けて延びるプレート本体部１３ｂとを一体に有している。
【００１７】
プレート本体部１３ｂは、へら状を呈するつば部としての形状を備え、すぐり部５における内筒側内面５ａおよび外筒側内面５ｂに沿った曲面状とされるとともに、取付部１２側の端部（基端部）１３ｂａから反対側の端部（先端部）１３ｂｂにかけてその厚みが徐々に薄くなる形状を備えている（取付部１２側の端部１３ｂａの厚みをｔ１、反対側の端部１３ｂｂの厚みをｔ２として、ｔ１＞ｔ２の関係とされている）。
【００１８】
鳴き防止部品１１の材質としては、弾性体４が接触した状態で滑りやすい特性を備える低摩擦系の樹脂材料よりなるものとされ、具体的には例えば、テフロン（登録商標）材や、超高分子ポリエチレン材よりなる。
【００１９】
図２に単品状態を示した鳴き防止部品１１は、図１に示したように取付部１２を内筒２の外周面に嵌合するとともにプレート部１３をそれぞれ、すぐり部５に挿入することによって、内筒２、外筒３および弾性体４よりなるブッシュ本体に組み付けられるものであって、ブッシュ本体に対し後付けされるため、既存の防振ブッシュ製品に組み付けることも可能とされる。
【００２０】
上記構成を備える防振ブッシュ１においては、その構成部品の１つとして鳴き防止部品１１が設けられ、この鳴き防止部品１１はそのプレート部１３において、すぐり部５に挿入され、すぐり部５における内筒側内面５ａおよび外筒側内面５ｂの間に配置されるものである。したがって内筒２および外筒３がすぐり方向（Ｘ方向）に径方向変位すると、すぐり部５における内筒側内面５ａは鳴き防止部品１１に接触し、すぐり部５における外筒側内面５ｂはこれも鳴き防止部品１１に接触する。したがって内筒側内面５ａおよび外筒側内面５ｂが直接接触することがないため、内筒２および外筒３が軸方向（Ｚ方向）に相対変位しても両面５ａ，５ｂの接触・摺動による鳴きの発生を抑制することができる。
【００２１】
上記鳴き防止部品１１は、すぐり部５における内筒側内面５ａおよび外筒側内面５ｂがこの鳴き防止部品１１に接触した状態で内筒２および外筒３が軸方向（Ｚ方向）に変位したときに、内筒側内面５ａおよび外筒側内面５ｂを円滑に滑動させるものである。したがってすぐり部５における内筒側内面５ａおよび外筒側内面５ｂがこの鳴き防止部品１１に対し摺動しても、鳴きは発生しない。
【符号の説明】
【００２２】
１  防振ブッシュ
２  内筒
３  外筒
４  弾性体
５  すぐり部
５ａ  内筒側内面
５ｂ  外筒側内面
１１  鳴き防止部品
１２  取付部
１３  プレート部
１３ａ  プレート基部
１３ｂ  プレート本体部
１３ｂａ，１３ｂｂ  端部
【図１】
0006718729.tif 000002
【図２】
0006718729.tif 000003
【図３】
0006718729.tif 000004